(57)【特許請求の範囲】
【請求項１】
下方へ突出して基台の開口端の内周面に嵌合する突周縁、下面において突周縁の周囲に形成された基台取付座および外周側面に形成されたねじ溝を有するリング状の第１の部材と；
第１の部材とその表裏を反転した同一構造であって、上方へ突出して調整リングの開口端の内周面に嵌合する突周縁、上面において突周縁の周囲に形成された調整リング取付座および外周側面に形成されたねじ溝を有するリング状の第２の部材と；
下部内周面に形成されて第１の部材のねじ溝と螺合する第１のねじ溝、上部内周面に形成されて第２の部材のねじ溝と螺合する第２のねじ溝および中間部内周面に形成されたねじ溝のない部分を有する円筒状の第３の部材と；
を具備していることを特徴とする標識灯用取付深さ調整装置。
【請求項２】
請求項１記載の標識灯用埋込深さ調整装置と；
標識灯用取付深さ調整装置の第１の部材を取り付ける開口端を備えた路面に埋設される基台と；
標識灯用取付深さ調整装置の第２の部材に取り付ける調整リングと；
調整リングに取り付けられる標識灯と；
を具備していることを特徴とする標識灯装置。
【請求項３】
標識灯用取付深さ調整装置は、そのねじピッチが基台、調整リングおよび標識灯の少なくともいずれか一つの外径の１．５／１００以下に設定されていることを特徴とする請求項２記載の標識灯装置。
【発明の詳細な説明】
【０００１】
【発明の属する技術分野】
本発明は、空港において航空機のパイロットに対するマーカーライトなどとして用いたり、道路などに用いたりする標識灯を路面内に埋設された基台に、その埋込深さのずれを矯正して取り付けるための標識灯用取付深さ調整装置およびこれを備えた埋込型標識灯装置に関する。
【０００２】
【従来の技術】
この種の標識灯を路面に取り付けるには、予め基台をコンクリート基礎部分に少なくとも一部を埋設し、さらにコンクリート基礎の上に舗装を施して路面を形成してから、基台の埋設個所をボーリングして、基台と標識灯との間に調整リングまたは標識灯用取付深さ調整装置および調整リングを介在させて、調整リングと標識灯との間で水平方向の向きを調整してから取り付けるのが一般的である。
【０００３】
従来の標識灯用取付深さ調整装置は、特公平２−２６０１０号公報に記載されている構造である。この標識灯用取付深さ調整装置は、図５に示すように、基台１と調整リング５との間に調整アダプタ３を介在させている。この調整アダプタ３は、基台１と調整リング５との間の距離を可調整にするもので、固定リング１６および可動リング４０からなる。そして、固定リング１６は、たとえば基台１の開口端に一体に形成するなどにより、基台１に固定される。そして、開口端の内側面にねじ１７が刻設されている。それに対して、可動リング４０は、取付部４３を環体４２の頂端部に横方向に突設するとともに、固定リング１６のねじ１７に螺合するねじ４４を側面に刻設している。
【０００４】
そうして、可動リング４０を回動して、固定リング１６のねじ１７に対する可動リング４０のねじ４４の螺合位置を調整することにより、可動リング４０の取付部４３の基台１からの位置が上下するので、基台１と調整リング５との間の離間距離に適合するように調整アダプタ３の高さを調整することができる。そして、可動リング４０の取付部４３に調整リング５を取り付け、さらに調整リング５に標識灯の灯体を取り付けると、灯体は基台１の埋込深さの如何にかかわらず、路面に対して所定の位置になるように取り付けることができる。
【０００５】
【発明が解決しようとする課題】
標識灯を取り付ける路面の舗装の厚さはテストボーリング後に分る場合が多い。一方、標識灯用取付深さ調整装置は、設計値から予測して製作することが多い。
【０００６】
ところが、従来の標識灯用取付深さ調整装置では、可調整の幅が比較的狭いので、実際の路面に適合できない場合がある。このような場合、標識灯用取付深さ調整装置を作り直すため、工程に遅れを生じてしまうという問題がある。
【０００７】
本発明は、可調整の幅が大きくとれ、しかも、構造が簡単で、安価に製造することが可能な標識灯用取付深さ調整装置を提供することを目的とする。
【０００８】
【課題を達成するための手段】
本発明の標識灯用取付深さ調整装置は、下方へ突出して基台の開口端の内周面に嵌合する突周縁、下面において突周縁の周囲に形成された基台取付座および外周側面に形成されたねじ溝を有するリング状の第１の部材と；第１の部材とその表裏を反転した同一構造であって、上方へ突出して調整リングの開口端の内周面に嵌合する突周縁、上面において突周縁の周囲に形成された調整リング取付座および外周側面に形成されたねじ溝を有するリング状の第２の部材と；下部内周面に形成されて第１の部材のねじ溝と螺合する第１のねじ溝、上部内周面に形成されて第２の部材のねじ溝と螺合する第２のねじ溝および中間部内周面に形成されたねじ溝のない部分を有する円筒状の第３の部材と；を具備していることを特徴としている。
【０００９】
本発明および以下の各発明において、用語の定義および技術的意味は次による。
【００１０】
＜第１の部材について＞    第１の部材は、標識灯用取付深さ調整装置を基台に取り付けるための手段であり、リング状をなしていて、突周縁、基台取付座およびねじ溝を備えている。リングの部分の内径は、少なくとも標識灯に給電するのに支障がない程度であれば、小さくてもよいし、また大きくても差し支えない。なお、リング状の部分の軸方向における高さは、特定のサイズに限定されない。
【００１１】
突周縁は、第１の部材から下方へ突出して形成され、基台の開口端の内周面に嵌合する。
【００１２】
基台取付座は、下面において突周縁の周囲に形成された第１の部材を基台に取り付ける手段であり、一般的には基台側の調整リングを取り付けるための取付部に適合する構造を採用する。基台取付座としては、たとえば基台の上部開口端に複数のねじ孔を円周方向に分散して形成することによって形成することができる。
【００１３】
ねじ溝は、第１の部材の外周側面に形成されて、後述する第３の部材の第１のねじ溝に螺合して高さを調整するための第１の手段を提供する。
【００１４】
さらに、第１の部材は、どのような材料で形成されていてもよいが、車両の走行によって破損しないような強度および耐久性を有する材料からなるのがよい。したがって、材料は、好ましくは金属材料がよく、たとえばアルミニウム系鋳物で第１の部材を形成することができる。
【００１５】
＜第２の部材について＞    第２の部材は、標識灯用取付深さ調整装置の上端に位置して、そこに調整リングを取り付けるための手段である。そして、第１の部材とその表裏を反転した同一構造であって、リング状をなしていて、突周縁、調整リング取付座およびねじ溝を備えている。リングの部分の内径は、調整リングに取り付けた標識灯の下部突出部が没入し得る程度であればよい。なお、リング状の部分の軸方向の高さは、特定のサイズに限定されない。
【００１６】
突周縁は、第２の部材から上方へ突出して形成され、調整リングの開口端の内周面に嵌合する。
調整リング取付座を、また周側面にねじ溝を備えている。
【００１７】
調整リング取付座は、上面において突周縁の周囲に形成され、一般的には調整リングを取り付けるための基台の取付部と同一の構造を採用する。調整リングを取り付けることができる構造であればよく、したがって調整リング取付座の構造は特定のものに限定されない。
【００１８】
また、第２の部材のねじ溝は、後述する第３の部材の第２のねじ溝に螺合して標識灯用取付深さ調整装置としての高さを調整するための第２の手段を提供する。ねじ溝は、第２の部材の外周側面および内周側面のいずれに形成されていてもよい。
【００１９】
さらに、第２の部材は、第１の部材におけるのと同様な理由で材料を選定することができるが、第１の部材と同一または異なる材料を用いて形成することができる。
【００２０】
＜第３の部材について＞    第３の部材は、第１のねじ溝、第２のねじ溝およびねじ溝のない部分を有した円筒状をなしている。第１のねじ溝は、第３の部材の下部内周面に形成されて、第1の部材のねじ溝に螺合する。第２のねじ溝は、第３の部材の上部内周面に形成されて、第２の部材のねじ溝に螺合する。ねじ溝のない部分は、第３の部材の内周面の第１および第２のねじ溝の中間部に形成されている。
【００２１】
また、第３の部材は、第１および第２の部材と同様な観点で材料を選定することができるが、これらと同一または異なる材料を用いて形成することができる。さらに、第３の部材は、円筒状をなしているので、一般材の鋼管材を用いて形成することができる。
【００２２】
＜その他の構成について＞    本発明の必須構成要件ではないが、以下の構成を所望により選択的に付加することにより、標識灯用取付深さ調整装置およびこれを用いた標識灯装置の性能が向上したり、機能が増加したりする。
【００２３】
１．（第１ないし第３の部材のねじ溝）    第１ないし第３の部材のねじ溝は、全周にわたって連続して形成されていなくてもよい。たとえば、全周を円周方向に６ないし８つ程度の数に等分に分割して、ねじ溝のある領域と、ねじ溝のない領域とを交互に形成することができる。これにより、最初に第３の部材に対して第１または第２の部材を一方のねじ溝のある領域を他方のねじ溝のない領域に合わせて嵌合させ、軸方向にスライドさせて、所望の高さに近い位置になったら隣接するねじ溝同士を螺合させる。そうすれば、取付深さを微調整することができ、その作業がすこぶる簡単になる。
【００２４】
２．（標識灯）    本発明の標識灯用取付深さ調整装置を用いて基台に取り付ける標識灯は、埋込型および露出型のいずれであってもよい。埋込型標識灯として、上面に配設された光導出溝、光導出溝に連通する内部空間、および光導出溝と内部空間との間に液密に配設された光路規制用のプリズムを備えた灯体、プリズムに向かって投光するように灯体の内部空間に配設された光源を含む光学ユニット、ならびに灯体から下方へ向かって下面に露出するとともに光源に接続する受電端子を具備した構成を採用することができる。
【００２５】
３．（調整リング）    本発明の標識灯用取付深さ調整装置において、第２の部材の調整リング取付座に取り付ける調整リングは、標識灯の水平方向の取付角度を調整可能にするように構成することができる。また、要すれば、加えて鉛直方向の取付角度を調整可能にするか、鉛直方向の取付角度を調整する別の部材を調整リングに付加することが許容される。
さらに、調整リングには、直接またはアダプタなどを介して間接的に標識灯を取り付ける。
【００２６】
４．（基台）    本発明の標識灯用取付深さ調整装置において、第１の部材を取り付ける基台は、構造、形状およびサイズが特定のものに限定されない。基台は、路面に埋設されて、配線を導入するとともに、標識灯を取り付ける際の基礎を提供する。そのために、基台は、まず配管工法に適合するように構成されている。具体的には配管と接続し得る構造を備えている。配管との接続は、基台の側面を利用するのが最適であるが、要すれば、底面を利用してもよい。
【００２７】
また、基台は、標識灯を取り付ける基礎を提供するために、上面が開口している。そして、標識灯用取付深さ調整装置および調整リングなどを介して間接的に取り付けるように構成されている。これらを取り付けるには、基台の開口端の適所にねじ孔を形成し、標識灯用取付深さ調整装置にはねじ孔に一致する通孔を形成して、通孔を経由してボルトをねじ孔にねじ込むように構成することができる。しかし、要すれば、基台の開口端の適所からスタッドボルトを突出させ、標識灯用取付深さ調整装置にスタッドボルトが挿通する通孔を形成し、その上からナットをスタッドボルトにねじ込むことにより、アダプタを基台に固定するように構成することもできる。
【００２８】
さらに、基台は、埋込型標識灯に電源を供給するために、配管内の配線に接続するレセプタクルを内部に収容する。レセプタクルは、後述するアダプタから導出されたプラグと接続する。
【００２９】
５．（アダプタ）    アダプタは、基台と埋込型標識灯との間に介在して配管工法による電源接続方式を埋込型標識灯を交換するのに好適な電源接続方式に転換する。そのために、アダプタは、アダプタ本体、電源端子台およびプラグを備えていて、アダプタ自体を基台に取り付けるための機能と、埋込型標識灯を取り付けるための機能と、電源接続方式転換機能とを備えている。
【００３０】
アダプタ本体は、上面に埋込型標識灯を受け容れる凹部を有する。この凹部は、埋込型標識灯を取り付けるための機能の主要部を担当する。すなわち、埋込型標識灯の突出した下部を受け容れて、埋込型標識灯を安定的に支持する。また、埋込型標識灯を固定するための構成を備えている。たとえば、スタッドボルトまたはねじ孔など慣用の固着手段を用いることができる。すなわち、凹部は、スタッドボルトの場合は、アダプタ本体から上方へスタッドボルトを突出させ、埋込型標識灯に形成した通孔をスタッドボルトに挿通し、埋込型標識灯の上方からナットをスタッドボルトにねじ込んで締め付ける。これに対して、ねじ孔の場合は、アダプタ本体にねじ孔を形成し、埋込型標識灯に通孔を形成し、通孔を経由してねじ孔にボルトをねじ込んで締め付ける。
【００３１】
また、アダプタ本体は、アダプタを基台に取り付けるための固着手段を備えている。たとえば、基台の取付手段に対応した取付手段たとえば通孔を周辺に備え、アダプタ本体の上方からボルトを基台のねじ孔にねじ込んだり、アダプタ本体の通孔を経由して上方へ突出したスタッドボルトの上方からナットをねじ込んだりして、締め付ける。
【００３２】
さらに、アダプタ本体は、単一部品構成および複合部品構成のいずれであってもよい。後者の場合、複数の部品を結合してアダプタ本体が構成されるが、複数の部品がどの部分で分離され、あるいは結合していてもよい。たとえば、底面部をその他の部分から分離可能に分割して、ボルトなどの固着具によって結合するように構成することができる。この場合には、アダプタ本体を基台から取り外さなくても、底面部を分離するだけで基台の内部を点検、修理することが可能になり、上記作業が一層容易、かつ、短時間で行なえるようになる。
【００３３】
＜本発明の作用について＞    本発明においては、第３の部材の第１のねじ溝に第１の部材のねじ溝を螺合させることにより両者を結合し、かつ標識灯用取付深さ調整装置としての高さを調整するための第１の手段を提供し、さらに第３の部材の第２のねじ溝に第２の部材のねじ溝を螺合させることにより両者を結合し、かつ標識灯用取付深さ調整装置としての高さを調整するための第２の手段を提供するので、標識灯用取付深さ調整装置を基台と調整リングとの間の離間距離すなわち埋め込み深さに合わせた高さに調整することができる。そして、基台と調整リングとの間に介在させて３者を結合する。そのため、以下に示す特徴がある。
【００３４】
１．第３の部材が円筒状なので、一般材の管材を利用して形成することができる。このため、標識灯用取付深さ調整装置を安価に提供することができる。
【００３５】
２．第３の部材を高さの異なるものに変更するだけで、種々の埋め込み深さに適応させることができる。このため、埋め込み深さの調整可能な範囲を大きくすることができる。
【００３６】
３．第1および第２の部材が表裏を反転した同一構造なので、第１の部材および第２の部材を共通部材とすることができる。そのため、部品の種類が少なくなり、製造および在庫の管理が容易になるとともに、安価になる。
【００３７】
４．第１の部材および第２の部材は、基台および調整リングの開口端の内周面に嵌合する突周縁を備えているので、車両が標識灯の上を通過する際に、水平方向で発生大きな変位に伴う荷重を標識灯用取付深さ調整装置で負荷させることができる。このため、標識灯、調整リング、標識灯用取付深さ調整装置および基台間を固定する締結用のボルトに作用する負荷が軽減するので、標識灯用取り付けの信頼性を向上させることができる。
【００３８】
本発明の標識灯装置は、前述した本発明の標識灯用埋込深さ調整装置と；標識灯用取付深さ調整装置の第１の部材を取り付ける開口端を備えた路面に埋設される基台と；標識灯用取付深さ調整装置の第２の部材に取り付ける調整リングと；調整リングに取り付けられる標識灯と；を具備していることを特徴としている。
【００３９】
本発明の標識灯装置においては、上記の構造を備えていることにより、基台の埋め込み深さが多様に変化していても高さの調整が可能な標識灯装置が得られる。
【００４０】
本発明の標識灯装置の一態様として、標識灯用取付深さ調整装置は、そのねじピッチが基台、調整リングおよび標識灯の少なくともいずれか一つの外径の１．５／１００以下に設定されている。
【００４１】
本態様においては、上記の構造を具備していることにより、基台、調整リングおよび標識灯の少なくともいずれか一つの外径からねじ１回転当たりの高さ調整量が分るので、その作業が容易になる。特にねじピッチを１／１００に設定することにより、ねじ１回転当たりの高さ調整量が一層分リやすくなる。
【００４２】
【発明の実施の形態】
以下、図面を参照して本発明の実施の形態を説明する。
【００４３】
図１および図２は、本発明の標識灯用取付深さ調整装置およびこれを用いた標識灯装置の第１の実施形態を示し、図１は装置全体の分解断面図、図２は標識灯用取付深さ調整装置の分解断面図である。各図において、Ａは標識灯用取付深さ調整装置、Ｂは標識灯装置である。
【００４４】
＜標識灯用取付深さ調整装置Ａ＞    標識灯用取付深さ調整装置Ａは、第１、第２および第３の部材１、２、３を具備している。
【００４５】
（第１の部材１）    第１の部材１は、アルミニウム鋳物からなり、リング状をなしていて、下面に基台取付座１ａを有しているとともに、周側面にねじ溝１ｂを有している。基台取付座１ａは、後述する基台Ｃの上部開口端に載置するように形成され、通孔１ａ１を備えている。そして、通孔１ａ１を経由してボルト４を基台Ｃにねじ込むことにより、第１の部材１を基台Ｃに固定する。ねじ溝１ａは、第１の部材１の外周面に形成されている。また、第１の部材１には、その内周面から下方へ突出する突周縁１ｃが形成されている。突周縁１ｃは、基台Ｃの開口端に嵌合して第１の部材１の横ずれを防止する。
【００４６】
（第２の部材２）    第２の部材２は、後述する調整リングＤを固定するために用いられるが、本実施形態においては、第１の部材１と同一材料、かつ、同一構造で、しかも、表裏反転して第３の部材３に支持されている。すなわち、第２の部材２は、リング状をなしていて、上面に調整リング取付座２ａを有しているとともに、周側面にねじ溝２ｂを有している。調整リング取付座２ａは、周段部からなり、後述する調整リングＤを載置するように形成され、ねじ孔２ａ１を備えている。そして、調整リングＤの通孔を経由してボルト５をねじ孔２ａ１にねじ込むことにより、調整リングＤを第２の部材２に固定する。また、調整リング取付座２ａには、スタッドボルトを起立させる場合のために、通孔２ａ２も形成されている。なお、標識灯Ｅを直接調整リングＤに取り付ける場合に、スタッドボルトを用いて固定することができる。ねじ溝２ｂは、第２の部材２の外周面に形成されている。また、第２の部材２には、その内周面から上方へ突出する突周縁２ｃが形成されている。突周縁２１ｃに対して、調整リングＤの開口端がに嵌合して調整リングＤの横ずれを防止する。
【００４７】
（第３の部材３）    第３の部材３は、一般材としての鋼管材を切断して得た材料からなり、円筒状をなしていて、第１および第２のねじ溝３ａ、３ｂを有している。第１のねじ溝３ａは、第３の部材３の下部の内周面に形成されていて、第１の部材１のねじ溝１ｂと螺合して第３の部材３と第１の部材１とを結合している。第２のねじ溝３ｂは、第３の部材３の上部の内周面に形成されていて、第２の部材２のねじ溝２ｂと螺合して第３の部材３と第２の部材２とを結合している。なお、第３の部材３の内周面の軸方向の中間部には、ねじ溝が形成されていない。
【００４８】
＜標識灯装置Ｂ＞    標識灯装置Ｂは、上記標識灯用取付深さ調整装置Ａに加えて、基台Ｃ、調整リングＤ、アダプタＥおよび標識灯Ｆを具備して構成されている。
【００４９】
（基台Ｃ）    基台Ｃは、上端に開口端１１および内部に内部空間１２を有する有底筒状をなしていて、さらに内部空間１２内に収納されるレセプタクル１３を備えている。また、基台Ｃの側面には、図示を省略している配管の接続部を有している。レセプタクル１３は、配管内に通線して基台内に導出された配線Ｗの先端に接続し、かつ、装着されている。さらに、基台１０の開口端１１には、上面に複数のねじ孔（図示しない。）が分散して形成されている。ねじ孔は、第１の部材１を取り付ける際にその通孔１ａ１に正対する位置に形成されていて、第１の部材１を取り付けるために用いる。
【００５０】
（調整リングＤ）    調整リングＤは、リング状をなしていて、下面に嵌合座１５を、上面に周段部１６、シール段部１７を、それぞれ備えている。嵌合座１５は、第２の部材２の調整リング取付座２ａに嵌合する。そして、通孔１５ａおよびねじ孔１５ｂを有している。通孔１５ａは、ボルト５が挿通して第２の部材２のねじ孔２ａ１にねじ込まれることによって、調整リングＤを第２の部材２に固定する。ねじ孔１５ｂは、後述するアダプタＥをねじ６により調整リングＤに固定するのに用いられる。
【００５１】
（アダプタＥ）    アダプタＥは、アダプタ本体２１、中継端子台２２、プラグ２３および電源コネクタ２４を備えている。アダプタ本体２１は、凹部２１ａ、下面外周段部２１ｂ、上面外周段部２１ｃおよび通孔２１ｄを有している。凹部２１ａは、アダプタ本体２１の上面に形成されて、後述する標識灯Ｆの下部を受け容れる。なお、凹部２１ａの開口端の周縁に周段部２１ａ１が形成されていて、標識灯Ｆの周縁部を支承する。なお、周段部２１ａ１には、図示しないスタッドボルトが起立している。下面外周段部２１ｂは、調整リングＣの周段部１６に嵌合してアダプタＥを調整リングＤに支承する。
【００５２】
（標識灯Ｆ）    標識灯Ｃは、灯体３０、光学ユニット４０および受電端子５０を備えていて、埋込型として構成されている。灯体３０は、光導出溝３１、内部空間３２、プリズム３３などを備えている。また、灯体３０は、上部灯体３０Ａおよび下部灯体３０Ｂによる２つ割り構成であり、Ｏリングを介して上部灯体３０Ａおよび下部灯体３０Ｂを覆合し、ビスにより固着することによって、内部空間３２が液密に形成されている。さらに、灯体３０は、その下部に円盤状突出部を有している。なお、上部灯体３０Ａは、高強度金属を鋳造して形成されている。これに対して、下部灯体３０Ｂは、アルミダイキャストにより形成されている。
【００５３】
光導出溝３１は、灯体３０の上面に配設されている。そして、内部空間３２に連通している。内部空間３２は、灯体３０の内部に形成され、後述する光学ユニット４０および受電端子５０から導出される受電部分などを収納しているとともに、後述するプリズム３３を収納するプリズム収容部を有している。プリズム３３は、内部空間３２のプリズム収容部３２ａに収納され、その光出射面が光導出溝３１に対面し、かつ、光入射面が光学ユニット４０に対面する。プリズム３３は、シリコーンゴム製のパッキングで液密にシールされている。また、灯体３０の周縁部には複数の通孔３５が形成されていて、アダプタＥの周段部２１ａ１から起立する図示しないスタッドボルトおよび袋ナットによって灯体３０がアダプタＥに固定されている。
【００５４】
光学ユニット４０は、光源４１、反射鏡４２およびランプソケット４３などがユニット化され、位置規制枠４４を介して下部灯体３０Ｂの内面に取り付けられている。また、光学ユニット４０は、ダイクロイック色フィルタ４５および減光フィルタ４６などを含んでいる。ただし、ダイクロイック色フィルタ４５および減光フィルタ４６は、プリズム３２と一緒に取り付けられている。光源４１は、片封止形のハロゲン電球からなる。反射鏡４２は、光源４１と一体化されている。すなわち、反射鏡４２は、ガラス成形基体４２ａの内面に形成された回転２次曲面を有する反射基盤面に可視光反射、赤外光透過性のダイクロイック反射膜を被着して形成されていて、頂部の筒状部の内部にハロゲン電球の封止部を挿入し、かつ、固着することによって光源４１と一体化されている。ランプソケット４３は、受電端子５０に接続するとともに、反射鏡４２と一体化された光源４１の口金部に装着されて光源４１に給電する。位置規制枠４４は、反射鏡４２の前面の周囲に当接して、光源４１および反射鏡４２のプリズム３３に対する位置を規制する。
【００５５】
受電端子５０は、図７および図１０に示すように、灯体３０の下面のアダプタ２０の電源コネクタ２４に接続して受電する。
【００５６】
以下、図３および図４を参照して、本発明の標識灯用取付深さ調整装置の他の実施形態について説明する。各図において、図１および図２と同一部分については同一符号を付して説明は省略する。
【００５７】
図３は、本発明の標識灯用取付深さ調整装置の第２の実施形態を示す断面図である。本実施形態は、第２の部材２の上面が平坦に形成されているとともに、ねじ部２ａに向かう押しねじ孔２ｄが形成されている。
【００５８】
そうして、第２の部材２を第３の部材３に対して所要の高さに調整した後に、押しねじ（図示しない。）を押しねじ孔２ｄにねじ込んで、押しねじの先端をねじ部２ａに圧入することにより、第２および第３の部材２、３を固着するように構成されている。
【００５９】
図４は、本発明の標識灯用取付深さ調整装置の第３の実施形態を示す分解斜視図である。本実施形態は、標識灯用取付深さ調整装置Ａが固定部材４１および可動部材４２からなる。
【００６０】
固定部材４１は、筒状をなしていて、内周面にねじ溝または多段突起４１ａを、下面に基台取付座１ａを、それぞれ有している。ねじ溝または多段突起４１ａは、円周方向に分断して形成されている。基台取付座１ａは図示しない基台に常法により取り付けられる。
【００６１】
可動部材４２は、円筒状をなして固定部材４１の内部に挿入されるが、その外周面にねじ溝または多段突起４２ａを、上面に調整リング取付け座２ａｂを、それぞれ有している。ねじ溝または多段突起４１ａと４２ａとは互いに係合しながら回動し得るように関係付けられている。
【００６２】
そうして、標識灯用取付深さ調整装置Ａの高さを調整するには、可動部材４２のねじ溝または多段突起４２ａを固定部材４１のねじ溝または多段突起４１ａが分断しているところに合わせて可動部材４２を固定部材４１に挿入する。所望の高さになったら、可動部材４２を回動して、ねじ溝または多段突起４１ａをねじ溝または多段突起４２ａに係合させてから適宜の手段により、両者を固定する。
【００６３】
【発明の効果】
本発明によれば、下面に基台取付座、周側面にねじ溝を有するリング状の第１の部材と、上面に調整リング取付座、周側面にねじ溝を有するリング状の第２の部材と、第１の部材のねじ溝と螺合する第１のねじ溝を下部周面に、第２の部材のねじ溝と螺合する第２のねじ溝を上部周面に有する円筒状の第３の部材とを具備するとともに、第１の部材および第２の部材が同一構造であり、かつ第１の部材および第２の部材が基台および調整リングの開口端の内周面に嵌合する突周縁を備えていることにより、以下の効果を奏する標識灯用取付深さ調整装置を提供することができる。
１．第１の部材のねじ溝と第３の部材の第1のねじ溝が螺合して高さ調整の第１の手段を提供し、第２の部材のねじ溝と第３の部材の第２のねじ溝が螺合して高さ調整の第２の手段を提供するとともに、第３の部材を高さの異なるものに変更するだけで、種々の埋め込み深さに適応させることができる。このため、埋め込み深さの調整可能な範囲を大きくすることができる。
２．第３の部材が円筒状なので、一般材の管材を利用して形成することができる。このため、標識灯用取付深さ調整装置を安価に提供することができる。
３．第1および第２の部材が表裏を反転した同一構造なので、第１の部材および第２の部材を共通部材とすることができる。そのため、部品の種類が少なくなり、製造および在庫の管理が容易になるとともに、安価になる。
４．第１の部材および第２の部材は、基台および調整リングの開口端の内周面に嵌合する突周縁を備えているので、車両が標識灯の上を通過する際に、水平方向で発生大きな変位に伴う荷重を標識灯用取付深さ調整装置で負荷させることができる。このため、標識灯、調整リング、標識灯用取付深さ調整装置および基台間を固定する締結用のボルトに作用する負荷が軽減するので、標識灯用取り付けの信頼性を向上させることができる。
【００６４】
本発明によれば、上記本発明の標識灯用埋込深さ調整装置と、この装置の第１の部材を取り付ける開口端を備えた路面に埋設される基台と、上記装置の第２の部材に取り付ける調整リングと、調整リングに取り付けられる標識灯とを具備していることにより、上記本発明の標識灯用埋込深さ調整装置の効果を有する標識灯装置を提供することができる。
【００６５】
また、標識灯用取付深さ調整装置のねじピッチを基台、調整リングおよび標識灯の少なくともいずれか一つの外径の１．５／１００以下に設定することにより、ねじ１回転当たりの高さ調整量が分りやすくて、その作業が容易になる標識灯装置を提供することができる。
【図面の簡単な説明】
【図１】本発明の標識灯用取付深さ調整装置およびこれを用いた標識灯装置の第１の実施形態における装置全体の分解断面図
【図２】同じく標識灯用取付深さ調整装置の分解断面図
【図３】本発明の標識灯用取付深さ調整装置の第２の実施形態を示す断面図
【図４】本発明の標識灯用取付深さ調整装置の第３の実施形態を示す分解斜視図
【図５】従来の標識灯用取付深さ調整装置の要部断面図態を示す断面図
【符号の説明】
Ａ…標識灯用取付深さ調整装置、Ｂ…標識灯装置、Ｃ…基台、Ｄ…調整リング、Ｅ…アダプタ、Ｆ…標識灯、１…第１の部材、１ａ…基台取付座、１ｂ…ねじ溝、２…第２の部材、２ａ…調整リング取付座、２ｂ…ねじ溝、３…第３の部材、３ａ…第１のねじ溝、３ｂ…第２のねじ溝
【図１】
0004064726.tif 000002
【図２】
0004064726.tif 000003
【図３】
0004064726.tif 000004
【図４】
0004064726.tif 000005
【図５】
0004064726.tif 000006